(57)【要約】      （修正有）【課題】特定のスタックアイコンを操作したとき、表示画面上にある他のスタックアイコンにもその効果を反映することができる「電子装置及び施設表示方法」を提供する。【解決手段】施設表示プログラム２００は、地図上に表示する施設を検索する施設検索部２０２、検索された施設に関する必要な施設データを抽出する施設データ抽出部２０４、抽出された施設データに基づきアイコンを作成するアイコン作成部２０６、作成されたアイコンを地図上に表示するアイコン表示部２０８、ユーザー操作によって選択されたスタックアイコンを識別するスタックアイコン識別部２１０、識別されたスタックアイコンにスタックされている内容を表示させるスタック内容表示部２１２、スタックアイコンの代表アイコンが変更されたか否かを判定する変更判定部２１４、代表アイコンが変更されたとき、スタックアイコンのスタック情報を変更するスタック情報変更部２１６を備える。【選択図】図２
2014238519.tif 000002
【特許請求の範囲】
【請求項１】
地図上に、関心のある位置を表す位置画像を表示可能な電子装置であって、
表示される地図上の一定の範囲内に複数の位置画像が存在するとき、複数の位置画像を１つの位置画像に統合した統合画像を作成する作成手段と、
前記統合画像に含まれる複数の位置画像の中から選択された位置画像を前記統合画像の代表として表示する表示手段と、
前記統合画像の代表の位置画像が他の位置画像に変更されたとき、当該変更に応じて、他の統合画像の代表の位置画像を変更する変更手段と、
を有する電子装置。
【請求項２】
前記表示手段は、統合画像に含まれる複数の位置画像の優先順位に基づき選択された位置画像を代表として表示し、当該優先順位は、関心のある位置のカテゴリーに与えられた順序情報である、請求項１に記載の電子装置。
【請求項３】
前記変更手段は、代表の位置画像が変更されたとき、前記順序情報を変更する、請求項２に記載の電子装置。
【請求項４】
前記表示手段は、前記代表の位置画像が変更されたとき、変更された代表の位置画像に対応する位置に前記統合画像の表示位置を変更する、請求項１ないし３いずれか１つに記載の電子装置。
【請求項５】
前記位置画像は、ＰＯＩを示すアイコンであり、前記統合画像は、アイコンを１つにまとめたスタックアイコンであり、前記表示手段は、スタックアイコンに含まれる１つのアイコンを前記統合情報に基づき代表のアイコンとして表示する、請求項１ないし４いずれか１つに記載の電子装置。
【請求項６】
地図上にＰＯＩのアイコンを表示可能なアイコンの表示方法であって、
表示される地図上の一定範囲内にある複数のアイコンを１つにまとめたスタックアイコンを作成するステップと、
スタックアイコンの中から優先順位が高いアイコンをスタックアイコンの代表のアイコンとして表示するステップと、
選択されたスタックアイコンの代表のアイコンが変更されたとき当該変更に応じて他のスタックアイコンの代表のアイコンを同時に変更するステップと、
を有するアイコンの表示方法。
【請求項７】
前記優先順位は、ＰＯＩのカテゴリーに応じて設定された順序情報である、請求項６に記載のアイコンの表示方法。
【発明の詳細な説明】
【技術分野】
【０００１】
本発明は、地図上に施設等の関心のある位置（ＰＯＩ（Point of Interest））を示すアイコン表示機能を備えた電子装置に関し、特に、ナビゲーション装置におけるＰＯＩのアイコンの表示方法に関する。
【背景技術】
【０００２】
ナビゲーション装置には、予め用意されたデータベースを利用して、施設等を検索する機能が搭載されている。検索方法には、例えば、選択されたジャンルの施設を検索するジャンル検索、自車位置周辺の施設を検索する周辺施設検索、電話番号から施設を検索する電話番号検索、名称またはキーワードなどから施設を検索する名称検索などがある。検索結果は、道路地図上にアイコンとして表示されたり、施設の名称等をリストとして表示されることで、ユーザーは、検索結果から所望の施設を選択し、これを目的地や経由地に設定することができる。
【０００３】
図９は、ナビゲーション装置における施設表示の表示例を示す図である。道路地図上には、施設位置を示すように多数のアイコン５００が表示されている。このようにアイコン５００を表示する場合、多くのアイコンが密集して表示されたり、重なって表示されると道路やアイコンが見難くなるので、これを回避するため、アイコン間の距離が一定範囲内にある複数のアイコンを積層して１つの代表アイコンのみを表示する機能がナビゲーション装置には搭載されている。このような機能を利用することで、アイコンの表示密度を一定に保つことができ、道路地図がユーザーにとって見やすいようになっている。
【０００４】
このような積層されたアイコンは、例えば、スタックアイコンと呼ばれ、隣接する複数のアイコンを１つにまとめている。スタックアイコン５２０は、図９に示すように、周辺にある点線で示される周辺のアイコン５４０をまとめて表示したものであり、周辺のアイコン５４０のうち代表する１つのアイコンのみが代表アイコンとして表示される。スタックアイコン５２０は、他のアイコンと見分けられるよう、例えば、右上に＋マークが付加されている。なお、周辺のアイコン５４０は、ナビゲーション装置の実際の表示画面には表示されないようになっている。スタックアイコンに含まれるアイコンは、予め決められたルール、例えばジャンルの優先順位に従い積層される。
【０００５】
ユーザーがタッチ操作やカーソルなどで、スタックアイコンを操作することで、まとめられている複数のアイコンのそれぞれの表示を順次変更することができる。例えば、スタックアイコンが、ガソリンスタンド、コンビニ、ファーストフードのカテゴリー順にアイコンをスタックさせている場合、ユーザーがスタックアイコンを操作することで、カテゴリー順に従いアイコンが一定期間で切り替わるように表示される。その状態で、例えば、ユーザーがコンビニのアイコンを選択すると、スタックアイコンの代表アイコンがコンビニのアイコンに変更される。
【０００６】
特許文献１には、表示地図において複数の施設が密集した場合でも、ロゴマークが重ならないように、代表のロゴマークのみを表示することができるカーナビゲーション装置に関する技術が開示されている。また、特許文献２には、施設の個数が所定値以上である場合には、表示画面の一部に代表アイコン表示エリアを設け、その代表アイコンを操作することで、地図上に表示されるアイコンを選択することができるナビゲーション装置に関する技術が開示されている。
【先行技術文献】
【特許文献】
【０００７】
【特許文献１】特開２００４−６９５６１号公報
【特許文献２】特開２００６−２７５６６２号公報
【発明の概要】
【発明が解決しようとする課題】
【０００８】
例えば、ナビゲーション装置の画面に表示された地図上に、コンビニの位置を示すアイコンがなかった場合、ユーザーは特定のスタックアイコンを操作して、スタックアイコンの中からコンビニに該当するアイコンを探す必要があった。そして、地図上にスタックアイコンが複数あった場合、それらのスタックアイコンを１つずつ操作して、コンビニがあるかどうか確認しなければならず、ユーザーにとって操作が煩雑であった。
【０００９】
本発明は、このような従来の課題を解決するものであり、複数の位置画像を統合した統合画像の操作性を改善した電子装置及びアイコンの表示方法を提供することを目的とする。
【課題を解決するための手段】
【００１０】
本発明に係る電子装置は、表示される地図上の一定の範囲内に複数の位置画像が存在するとき、複数の位置画像を１つの位置画像に統合した統合画像を作成する作成手段と、前記統合画像に含まれる複数の位置画像の中から選択された位置画像を前記統合画像の代表として表示する表示手段と、前記統合画像の代表の位置画像が他の位置画像に変更されたとき、当該変更に応じて、他の統合画像の代表の位置画像を変更する変更手段とを備え、地図上に、関心のある位置を表す位置画像を表示することができる。
【００１１】
好ましくは、前記表示手段は、統合画像に含まれる複数の位置画像の優先順位に基づき選択された位置画像を代表として表示し、当該優先順位は、関心のある位置のカテゴリーに与えられた順序情報であり、前記変更手段は、代表の位置画像が変更されたとき、前記順序情報を変更することができる。また、前記表示手段は、前記代表の位置画像が変更されたとき、変更された代表の位置画像に対応する位置に前記統合画像の表示位置を変更することができる。
【００１２】
好ましくは、前記位置画像は、ＰＯＩを示すアイコンであり、前記統合画像は、アイコンを１つにまとめたスタックアイコンであり、前記表示手段は、スタックアイコンに含まれる１つのアイコンを前記統合情報に基づき代表のアイコンとして表示する。
【００１３】
本発明に係るアイコンの表示方法は、表示される地図上の一定範囲内にある複数のアイコンを１つにまとめたスタックアイコンを作成するステップと、スタックアイコンの中から優先順位が高いアイコンをスタックアイコンの代表のアイコンとして表示するステップと、選択されたスタックアイコンの代表のアイコンが変更されたとき当該変更に応じて他のスタックアイコンの代表のアイコンを同時に変更するステップとを備え、地図上にＰＯＩのアイコンを表示することができる。例えば、前記優先順位は、ＰＯＩのカテゴリーに応じて設定された順序情報である。
【発明の効果】
【００１４】
本発明によれば、統合画像の代表の位置画像を変更したとき、他の統合画像の代表の位置画像を同時に変更することができ、ユーザー操作の煩雑さを低減することができる。
【図面の簡単な説明】
【００１５】
【図１】本発明の実施例に係るナビゲーション装置の構成を示すブロック図である。
【図２】施設表示プログラムの機能的な構成を示すブロック図である。
【図３】スタックアイコンの表示例を示す図である。
【図４】スタックアイコンのスタック情報の例を示す図である。
【図５】ナビゲーション装置の表示画面の表示例を示す図である。
【図６】本実施例による施設表示動作を説明するフローチャートである。
【図７】本実施例によるスタックアイコンのスタック内容の表示例を示す図である。
【図８】本実施例による施設表示動作を説明する各スタックアイコンのスタック情報を示す図である。
【図９】ナビゲーション装置における施設表示の表示例を示す図である。
【発明を実施するための形態】
【００１６】
次に、本発明の実施の形態について図面を参照して詳細に説明する。本発明の電子装置は、自動車等の移動体上に固定的に搭載されるもの、ユーザーによって移動体に持ち込むことができるもの（例えば、多機能型電話機のようなスマートフォンやタブレット型端末など）、あるいは移動体から着脱自在のもののいずれであってもよい。本発明の電子装置は、ナビゲーション機能を搭載するが、これ以外の機能、例えばオーディオ・ビデオデータを再生する機能、テレビ・ラジオ放送を受信する機能、アプリケーションソフトウエアを実行する機能などを統合的に備えるものであってもよい。さらに本発明の電子装置は、それ自身がナビゲーション機能を実行するための道路地図データを記憶装置に蓄積するものであってもよいし、データ通信手段を介して配信サイトもしくは配信サーバーなどから必要な道路地図データを取得するものであってもよい。以下の説明では、電子装置の一例として、車両に搭載されたナビゲーション装置を例示する。
【実施例】
【００１７】
図１は、本発明の実施例に係るナビゲーション装置の構成を示すブロック図である。ナビゲーション装置１００は、自車位置情報を取得する位置情報取得部１０２、渋滞や交通規制などの道路交通情報を取得する交通情報取得部１０４、ユーザーからの入力を受け取るユーザー入力部１０６、有線または無線による外部とのデータ通信を可能にするデータ通信部１０８、ディスプレイに道路地図などを表示する表示部１１０、音声を出力する音声出力部１１２、記憶部１１４、外部機器との接続を可能にする外部インターフェース（Ｉ／Ｆ）１１６、各部を制御する制御部１１８を含んで構成される。ここに示される構成は一例であり、ナビゲーション装置は、必ずしもこのような構成に限定されない。
【００１８】
位置情報取得部１０２は、例えば、ＧＰＳ衛星１３６（図１（Ｂ）を参照）から送信される信号を利用して自車の絶対位置を検出するもの、ジャイロセンサや加速度センサなど車両に搭載された種々のセンサから自車の相対位置を検出するものであることができる。また、位置情報取得部１０２は、図１（Ｂ）に示すように、ネットワーク１２０を介して位置情報配信サイト（または配信サーバー）１３０にアクセスし、そこから自車位置情報を取得することもできる。この場合、ネットワーク１２０への接続は、データ通信部１０８を介して行われる。
【００１９】
交通情報取得部１０４は、例えば、ＦＭラジオ放送やその他の放送波に重畳された道路交通情報を取得したり、幹線道路や高速道路などの路側に設置されたアンテナから無線通信により道路交通情報を取得することができる。また、交通情報取得部１０４は、図１（Ｂ）に示すように、ネットワーク１２０を介して道路交通情報配信サイト（または配信サーバー）１３４にアクセスし、そこから道路交通情報を取得することもできる。この場合、ネットワーク１２０への接続は、データ通信部１０８を介して行われる。
【００２０】
ユーザー入力部１０６は、ユーザーとナビゲーション装置１００との間のインターフェースを提供する。ユーザー入力部１０６は、入力キーデバイス、タッチパネル、音声認識装置などを含むことができる。データ通信部１０８は、ＷｉＦｉ、ＬＡＮ、赤外線通信、電話回線などを利用した有線または無線によるデータ通信を可能にする。データ通信部１０８は、その機能がナビゲーション装置に内蔵されるものでもよいし、携帯電話やスマートフォンなどを外部接続しその通信機能を利用するものであってもよい。上記したように、データ通信部１０８は、図１（Ｂ）に示すようなネットワーク１２０を介して種々のデータ配信サイトに接続することを可能にする。
【００２１】
表示部１１０は、目的地までの誘導経路を案内するときに道路地図を表示したり、施設検索などが行われた時に検索結果を表示したり、ナビゲーション装置の各種設定をするためのメニュー画面などを表示する、タッチパネル対応のディスプレイ等を含む。音声出力部２２は、誘導経路の案内や各種の警告等を出力するスピーカ等を含む。
【００２２】
記憶部１１４は、ナビゲーション装置１００の動作に必要な道路地図データ等を格納することができる。一つの例では、記憶部１１４は、大容量の記憶装置を含み、ここに道路地図データや施設データなどのデータベースを蓄積することができる。他の例では、記憶部１１４は、図１（Ｂ）に示すようにネットワーク１２０を介して道路地図データ配信サイト１３２にアクセスし、そこから必要な道路地図データ等を取得することができる。この場合、ネットワーク１２０への接続は、データ通信部１０８を介して行われる。
【００２３】
制御部１１８は、好ましい態様では、ＲＯＭ、ＲＡＭなどを含むマイクロコントローラから構成され、ＲＯＭまたはＲＡＭは、ナビゲーション装置の各部の動作を制御するための種々のプログラムを格納することができる。プログラムは、例えば、目的地や経由地を検索するもの、目的地までの最適な経路を探索するもの、データベース等を利用して施設を検索するものなどが含まれる。さらに制御部１１８は、道路地図上に、施設、名所旧跡、ランドマーク、駅、神社等の関心のある位置または地点（ＰＯＩ）のアイコンを表示するためのＰＯＩ表示プログラムを備えている。以下の説明では、ＰＯＩの代表的な例として施設のアイコンを表示する例に説明する。
【００２４】
図２は、本実施例における施設表示プログラムの機能的な構成を示すブロック図である。施設表示プログラムは、ユーザーに施設の位置を提供するため、例えば、ナビゲーション装置に表示される地図上の対応する位置に、各施設を示すアイコンを表示する機能を有する。このように、各施設を示すアイコンが地図上に表示されることで、ユーザーは、目的地や経由地となる施設や運転時に目印となるような施設とその位置をすぐに把握することができる。施設表示プログラムは、種々のシチュエーションにおいて実行可能であり、例えば、目的地や経由地を検索するとき、自車位置の周辺施設を検索するときなどに実行される。
【００２５】
図２に示すように、施設表示プログラム２００は、施設データベースを利用して地図上に表示する施設を検索する施設検索部２０２、検索された施設に関する必要な施設データを抽出する施設データ抽出部２０４、抽出された施設データに基づきアイコンを作成するアイコン作成部２０６、作成されたアイコンを地図上に表示するアイコン表示部２０８、ユーザー操作によって選択されたスタックアイコンを識別するスタックアイコン識別部２１０、スタックアイコン識別部２１０によって識別されたスタックアイコンにスタックされている内容を表示させるスタック内容表示部２１２、スタックアイコンの代表アイコンが変更されたか否かを判定する変更判定部２１４、変更判定部２１４により代表アイコンが変更されたと判定されたとき、スタックアイコンのスタック情報を変更するスタック情報変更部２１６を備える。ただし、ここに示す機能は、施設表示プログラム２００の主なものであり、ここに示されない他の機能は、制御部１１８により実行されるものとする。
【００２６】
施設検索部２０２は、ユーザー入力された条件または指示に基づき施設データベースを参照して地図上に表示する周辺施設を検索する。施設データベースは、各施設についての名称、位置情報、カテゴリー（ジャンル）、住所、電話番号などを含み、さらに、施設の画像データ、施設をアイコン表示するときの情報、施設の口コミ情報、施設の特徴などの詳細な情報を含めることができる。ナビゲーション装置１００が施設データベースを記憶部１１４に備えている場合には、その施設データベースを利用して検索が行われる。また、道路地図データ配信サイト１３２が施設データベースを保持している場合には、当該配信サイト１３２の施設データベースを利用して施設の検索が行われる。
【００２７】
アイコン作成部２０６は、施設データに基づき、地図上に表示されるアイコンを作成する。アイコンは、それぞれの施設を示す画像データであり、各施設のジャンルに応じたマークやその施設特有のロゴマークなどが利用される。
【００２８】
また、アイコン作成部２０６は、一定エリア内に多数のアイコンが密集してしまう場合、これら複数のアイコンをまとめて、１つの代表アイコンのみが表示されるようにスタックアイコンを作成する。スタックアイコンには、複数の施設を表すアイコンが１つのスタックに複合されているが、そのうち、代表する１つのアイコン、すなわち、代表アイコンのみを表示する。スタックアイコンを利用することで、多数のアイコンが、密集したり、それぞれ重なり合って表示されたり、道路を覆い隠してしまうことを回避することができる。
【００２９】
図３は、スタックアイコンの表示例を示す図である。アイコン作成部２０６は、スタックアイコンと一般的なアイコンとを識別できるように、例えば図３（Ａ）に示すように、アイコン２２０の右上の一部に＋マーク２２２を付すような表示形態を作成する。スタックアイコンの表示形態は、これに限らず、図３（Ｂ）に示すように、アイコン２２０Ａ〜２２０Ｃが重なって見えるようなものであったり、図３（Ｃ）に示すように、アイコン２２０の表示枠を二重にするようなものであってもよい。スタックアイコンは、例示した表示形態に限らず、一般的なアイコンと識別できるようなものであればよい。
【００３０】
アイコン作成部２０６は、隣接するアイコンの座標（緯度、経度）を比較し、当該座標間の距離がしきい値以下にあるとき、隣接するアイコンをスタックすべきアイコンとして識別し、隣接するアイコンをスタックする。隣接するアイコンの数に特に制限はなく、３つ以上のアイコンがスタックされてもよい。また、地図上に表示されるアイコンの数や密集度は、地図スケールに応じて異なるので、前記しきい値は、地図スケールに応じて適切な値に変更され得る。図３（Ａ）ないし（Ｃ）に示すスタックアイコンは、例えば、スタックされたアイコンのいずれかの座標、あるいはスタックされた複数のアイコンのほぼ中心地点に表示される。なお、アイコンをスタックするか否かの距離は、アイコンの座標間の直線距離に限らず、アイコン間の道なりの距離を用いることも可能である。
【００３１】
さらにアイコン作成部２０６は、スタックアイコンを作成する際、スタックアイコンのスタック内容を示すスタック情報を作成する。図４は、スタックアイコンのスタック情報の一例である。スタック情報には、図４に示すように、施設を識別する識別情報（施設Ａ、Ｂ、Ｃ、…ｎ）、施設に関するアイコン画像（画像Ａ、Ｂ、Ｃ、…ｎ）と、施設のカテゴリー情報と、施設の位置情報と、スタックアイコンにスタックされる順序を規定した順序情報（１、２、３、…ｎ）とが含まれる。本実施例では、スタックアイコンにスタックされる順序は、カテゴリー情報によって定義され、図４の例では、順序「１」としてコンビニエンスストア、順序「２」としてレストラン、順序「３」としてガソリンスタンドが設定されている。従って、スタックアイコンの代表アイコンは、コンビニエンスストアの画像Ｂとなり、それ以外のカテゴリーのアイコンは、表示されない。
【００３２】
カテゴリー情報による順序は、ユーザーによって設定または変更することが可能である。また、ユーザーが所望のカテゴリーのアイコンを非表示に設定している場合には、その設定が自動的に反映されるようにしてもよい。すなわち、非表示設定されたカテゴリーが順序「１」とならないようにする。反対に、ユーザーが所望のカテゴリーのアイコンを表示設定している場合には、表示設定されたカテゴリーが順序「１」となるように自動設定されるようにしてもよい。本実施例では、後述するようにスタックアイコンの代表アイコンが変更されたとき、他のスタックアイコンの代表アイコンも連動して変更されるように、スタック情報のカテゴリー情報による順序が変更される。また、ユーザー操作によってスタックアイコンのスタック内容が表示される場合に、図４に示すスタック情報が参照されるが、仮に、スタック内容の表示に際して施設名称や口コミ等も表示させたい場合には、スタック情報は、施設名称や口コミ情報を包含するか、そのような情報へのアクセスを容易にするべくデータベースへのリンク情報を包含するようにしてもよい。このように作成されたスタック情報は、メモリに保持される。
【００３３】
アイコン表示部２０８は、アイコン作成部２０６によって作成されたアイコンを、道路地図データ上に合成して表示する。図５は、ナビゲーション装置の自車位置周辺の地図の表示例を示す図である。ナビゲーション装置１００の画面２５０には、通常の施設を示すアイコン２６０Ａ〜２６０Ｅと、周辺のアイコンをまとめ、代表アイコンを示すスタックアイコン２７０Ａ〜２７０Ｃが表示されている。表示されたアイコン２６０Ａ〜２６０Ｅやスタックアイコン２７０Ａ〜２７０Ｃは、ユーザーインターフェースを提供し、すなわちタッチパネルまたはカーソルなどのユーザー入力により選択することが可能である。
【００３４】
スタックアイコン識別部２１０は、画面２５０に表示されているスタックアイコン２７０Ａ〜２７０Ｃのいずれかをユーザーが選択したとき、当該スタックアイコンを識別する。スタックアイコン識別部２１０によってスタックアイコンが識別されると、その識別結果に基づきスタック内容表示部２１２は、対応するスタック情報（図４）をメモリから読出し、スタックアイコンのスタック内容を表示させる。スタック内容の表示態様は、特に制限されるものではないが、例えば、識別されたスタックアイコンに含まれる代表アイコン以外のアイコンが一定時間間隔で、或いはユーザーの選択操作により、切り替えて表示される。例えば、図４の例であれば、代表アイコンとしてコンビニエンスストアの画像Ｂが代表アイコンとして表示されているとき、画像Ｂの表記がレストランの画像Ｃに切り替わり、次に、画像Ｃが一定期間表示された後、ガソリンスタンドの画像Ａに切り替わり、次に、画像Ａが一定期間表示された後、順序情報に従い次のカテゴリーに対応するアイコンの画像が表示される。表示態様としては、これ以外にもスタックアイコンにスタックされているアイコンの画像を一度に表示させてもよいし、表示させるときに吹き出し表記やディスプレイを２画面に分割しその一方に表示させるようにしてもよい。さらにスタック内容は、アイコンの画像のみならず、上記したように施設名称やその口コミ情報などを表示させるものであってもよい。このように、ユーザーがスタックアイコンを選択したときに、現在表示されていないスタックされた内容を表示させることで、スタックされているその他の施設を確認し、ユーザーは、必要に応じて、スタックアイコンの代表アイコンの変更をすることができる。
【００３５】
変更判定部２１４は、スタックアイコンの代表アイコンが変更されたか否かを判定する。好ましい態様では、スタック内容表示部２１２によってスタックアイコンのスタック内容が表示されているとき、ユーザーが、現在の代表アイコンと異なるアイコンを選択（例えば表示されているアイコンへの所定時間以上のタッチ操作＝長押しを検出）したとき、代表アイコンが変更されたものと判定する。この場合、画面上に、代表アイコンの変更の確認ボタンを表示してもよい。
【００３６】
スタック情報変更部２１６は、変更判定部２１４によってスタックアイコンの代表アイコンが変更されたと判定されたとき、それに基づき図４に示すスタック情報を変更する。例えば、図４の例において、現在の代表アイコンは、コンビニエンスストアの画像Ｂであるが、この代表アイコンが、順序「３」のガソリンスタンドのアイコンである画像Ａに変更されたとき、スタック情報変更部２１６は、少なくともガソリンスタンドの順序を「１」に変更する。他のカテゴリーの順序をそのまま繰り下げてもよいし、現在の代表アイコンのカテゴリーの順序と、変更される代表アイコンの順序を入れ替えるようにしてもよい。
【００３７】
さらにスタック情報変更部２１６は、画面に表示されている他のスタックアイコンの代表アイコンも同時に変更されるように、そのスタック情報も変更する。例えば、図５に示すスタックアイコン２７０Ａの代表アイコンが変更されたとき、他のスタックアイコン２７０Ｂ、２７０Ｃのそれぞれのスタック情報の順序情報が同様に変更される。つまり、スタックアイコン２７０Ｂ、２７０Ｃのスタック情報において、少なくともガソリンスタンドの順序が「１」に変更される。但し、スタックアイコン２７０Ｂ、２７０Ｃが、スタックアイコン２７０Ａと同様のカテゴリーの施設をスタックしているとは限らないので、もし、スタックアイコン２７０Ｂ、２７０Ｃにガソリンスタンドがスタックされていない場合には、スタック情報変更部２１６は、それらのスタック情報の内容を変更しない。
【００３８】
スタック情報変更部２１６によってスタック情報が変更されると、アイコン表示部２０８は、変更されたスタック情報に従いスタックアイコンを表示する。従って、１つのスタックアイコンの代表アイコンが変更されたとき、他のスタックアイコンが同様のカテゴリーの施設をスタックしていれば、他のスタックアイコンの代表アイコンも同時に変更される。
【００３９】
次に、本実施例のナビゲーション装置における施設表示動作を、図６のフローチャートを参照しながら説明する。ここでは、制御部１１８は、施設表示プログラムに従い、自車の周辺施設の検索結果を表示し、その後にユーザーがスタックアイコンを操作し、代表アイコンを変更するものとする。まず、メニュー画面などから周辺施設を行う指示がユーザーから入力されると、周辺施設検索が開始される。
【００４０】
施設データ抽出部２０４は、周辺施設検索部２０２の検索結果に応じて、施設データベースから施設データを抽出し、アイコン作成部２０６は、抽出された施設データに基づき、通常のアイコンおよびスタックアイコンを作成する（Ｓ１００）。次に、アイコン表示部２０８は、図５に示すように、道路上に、通常のアイコン２６０Ａ〜２６０Ｅ、スタックアイコン２７０Ａ〜２７０Ｃを表示する（Ｓ１０２）。ユーザーは、地図上に表示されたアイコンから、自車位置周辺に存在する施設を認識する。
【００４１】
スタックアイコン２７０Ａ〜２７０Ｃにスタックされている施設を確認したいとき、ユーザーは、カーソルまたはタッチパネルによって、所望のスタックアイコンを選択する。これにより、スタックアイコン識別部２１０は、選択されたスタックアイコンを識別する（Ｓ１０４）。スタックアイコンが識別されると、スタック内容表示部２１２によって識別されたスタックアイコンのスタック内容が表示される（Ｓ１０６）。
【００４２】
図７（Ａ）ないし（Ｃ）は、図５に示すスタックアイコン２７０Ａが識別され、図８（Ａ）に示すスタック内容が表示される例を示している。図７（Ａ）に示すように、スタックアイコン２７０Ａの当初の代表アイコンは、画像Ｂであり、これが表示される。次に、図７（Ｂ）、（Ｃ）、（Ｄ）に示すように、画像Ｂが、画像Ｃ、画像Ａ、画像Ｄに表示が一定期間で、或いはユーザーの選択操作により、切り替えられる。あるいは、図７（Ｅ）に示すように、スタックアイコン２７０Ａの吹き出し表記２７２として、画像Ｃ、画像Ａ、画像Ｄが同時に一定期間表示されるようにしてもよい。
【００４３】
次に、変更判定部２１４は、スタックアイコンの代表アイコンの変更の有無を判定する（Ｓ１０８）。例えば、図７（Ｂ）に示す表示期間中に、画像Ｃを選択するためのユーザー入力が行われると、変更判定部２１４は、代表アイコンが画像Ｃに変更されたと判定する。これは、スタックアイコン２７０Ａのレストランのカテゴリーが順序「１」に変更されることを意味する。変更判定部２１４によって変更があったと判定されると、その判定結果に基づき、スタック情報変更部２１６は、スタックアイコンのスタック情報を変更する（Ｓ１１０）。
【００４４】
図８（Ｂ）、（Ｃ）は、スタックアイコン２７０Ｂ、２７０Ｃのスタック情報の一例を示している。スタック情報変更部２１６は、ユーザーによって選択されたスタックアイコンのスタック情報の変更と同時に、他のスタックアイコン２７０Ｂ、２７０Ｃのスタック情報を変更する。上記の例に従えば、スタックアイコン２７０Ａのスタック情報において、代表アイコンとしてレストランの画像Ｃが選択されるように順序が変更される。スタックアイコン２７０Ｂのスタック情報において、レストランの画像Ｅが代表アイコンとして選択されるように順序が変更される。スタックアイコン２７０Ｃのスタック情報において、レストランに一致するカテゴリーが含まれていないので、スタック情報変更部２１６は、スタック情報の変更の必要がないと判定し、順序をそのまま維持する。
【００４５】
その結果、スタックアイコン２７０Ａの代表アイコンとしてレストランの「画像Ｃ」、スタックアイコン２７０Ｂの代表アイコンとしてレストランの「画像Ｇ」、スタックアイコン２７０Ｃの代表アイコンとしてコンビニエンスストアの「画像Ｈ」の表示に一斉に切り替わる。
【００４６】
このように上記実施例では、選択したスタックアイコンの代表アイコンを変更した場合、そのカテゴリー情報に応じて、他のスタックアイコンの代表アイコンを同時に変更することができる。これにより、ユーザーは、従来のようにスタックアイコンを１つずつ操作して代表アイコンを変更する必要がなくなり、ユーザーの煩雑な手続きを軽減させることができる。
【００４７】
なお、スタックアイコンの代表アイコンが変更されたとき、アイコン作成部２０６は、スタックアイコンの表示位置を変更させるようにしてもよい。例えば、スタックアイコンの表示位置を代表アイコンの座標位置にしている場合には、変更された代表アイコンの座標位置に変更する。
【００４８】
また、上記実施例では、スタックアイコンの代表アイコンを、カテゴリー情報の順位に基づき決定するようにしたが、カテゴリー情報以外に、例えば、施設のブランド名の順位（ブランドＡ、ブランドＢ、…ブランドｎ）、チェーン店の順位（チェーン店Ａ、チェーン店Ｂ、…チェーン店ｎ）、フランチャイズ店の順位（フランチャイズ店Ａ、フランチャイズ店Ｂ、…フランチャイズ店ｎ）などに基づき代表アイコンを決定するようにしてもよい。この場合、それらの順位を予め設定しておき、選択されたスタックアイコンの代表アイコンが変更されたとき、それに応じて順位を変更する。
【００４９】
さらに上記実施例では、施設のアイコンを表示する例を示したが、施設以外のＰＯＩのアイコンの表示にも適用可能である。また、ＰＯＩのアイコンの表示態様は、２次元的な画像に限らず、立体的な画像であってもよい。例えば、１つの雑居ビルの中に複数の施設等が入居している場合には、スタックアイコンを１つの立体的なビルの画像としてもよい。
【００５０】
本発明の好ましい実施の形態について詳述したが、本発明は、特定の実施形態に限定されるものではなく、特許請求の範囲に記載された発明の要旨の範囲において、種々の変形・変更が可能である。
【符号の説明】
【００５１】
１００：ナビゲーション装置            １０２：位置情報取得部
１０４：交通情報取得部                １０６：ユーザー入力部
１０８：データ通信部                  １１０：表示部
１１２：音声出力部                    １１４：記憶部
１１６：外部インターフェース          １１８：制御部
１２０：ネットワーク                  １３０〜１３４：配信サイト
１３６：衛星                          ２００：施設検索プログラム
２０２：施設検索部                    ２０４：施設データ抽出部
２０６：アイコン作成部                ２０８：アイコン表示部
２１０：スタックアイコン識別部        ２１２：スタック内容表示部
２１４：変更判定部                    ２１４：スタック情報変更部
２５０：表示画面                      ２６０Ａ〜Ｅ：アイコン
２７０Ａ〜Ｃ：スタックアイコン        ２７２：吹き出し表記
５００：アイコン                      ５２０：スタックアイコン
５４０：周辺のアイコン
【図１】
2014238519.tif 000003
【図２】
2014238519.tif 000004
【図３】
2014238519.tif 000005
【図４】
2014238519.tif 000006
【図５】
2014238519.tif 000007
【図６】
2014238519.tif 000008
【図７】
2014238519.tif 000009
【図８】
2014238519.tif 000010
【図９】
2014238519.tif 000011